(57)【要約】      （修正有）【課題】持ち運びなどに使用しておらず、折り畳んで鞄などの袋に収納しようとするときに、誤って開いて差し込んでいる書類が汚れたり破損したりすることがなく、しかも、簡便に開け閉めができる書類収納具を提供する。【解決手段】書類を載置する第一基部シート１と、第一基部シート１と一体に形成された第二基部シート２を有する。そして、第一基部シート１の一端側に位置し、書類の端部を入れる開口３１を有する収納部３と、第二基部シート２の一端側に位置し、開口３１と対向し得る差し込み口４１を有する挿入部４を備えている。さらに、収納部３の幅よりも挿入部４の幅が狭く、収納部３に挿入部４を挿入可能であることを特徴としている。【選択図】図１
0003207893.tif 000002
【実用新案登録請求の範囲】
【請求項１】
書類を載置する第一基部シート（１）と、
前記第一基部シート（１）と一体に形成された第二基部シート（２）と、
前記第一基部シート（１）の一端側に位置し、前記書類の端部を入れる開口（３１）を有する収納部（３）と、
前記第二基部シート（２）の一端側に位置し、前記開口（３１）と対向し得る差し込み口（４１）を有する挿入部（４）を備え、
前記収納部（３）の幅よりも前記挿入部（４）の幅が狭く、前記収納部（３）に前記挿入部（４）を挿入可能であることを特徴とする書類収納具。
【請求項２】
前記収納部（３）において、前記第一基部シート（１）に対して立設する側板（３２，３２）と、前記側板（３２，３２）に対し立設し前記第一基部シート（１）に対して平行となる天板（３３）を具備し、
前記天板（３３）における前記開口（３１）側端部より前記収納部（３）の内部に向けて延設された押さえ片（３４）を備え、少なくとも前記天板（３３）及び前記押さえ片（３４）が可撓性を有する高分子材料により一体に形成されていることを特徴とする請求項１に記載の書類収納具。
【請求項３】
前記挿入部（４）が、前記第二基部シート（２）に対して折り曲げ可能に延設される天板（４３）により形成されていることを特徴とする請求項１又は請求項２に記載の書類収納具。
【請求項４】
前記第一基部シート（１）の他端と前記第二基部シート（２）他端との間に背面部（５）を備えることを特徴とする請求項１から請求項３のいずれかに記載の書類収納具。
【考案の詳細な説明】
【技術分野】
【０００１】
本考案は、楽譜、設計図面などの各種書類を収納することができる書類収納具に関する。
【背景技術】
【０００２】
従来、楽譜、設計図面などの各種書類を収納することができ、取り出さなくても即座に書き込みなどが可能である書類収納具が知られている。
【０００３】
例えば、特許文献１には、クリアブックのポケットの中央部分をくり抜いたような書類収納具が開示されている。すなわち、折り畳み可能な矩形状の台紙において、書類を差し込み透光性を有する差し込み片が、台紙の外周部の一辺に断続的に固設さられた書類収納具が開示されている。
【０００４】
また、特許文献２には、矩形状の中台紙において、書類を差し込み透光性を有する差し込み片が台紙の両端側に固設された書類収納具が開示されている。
【先行技術文献】
【特許文献】
【０００５】
【特許文献１】特開２００６−３２１２１１号公報
【特許文献２】実用新案登録第３１７７８００号公報
【考案の概要】
【考案が解決しようとする課題】
【０００６】
しかしながら、特許文献１及び特許文献２の書類収納具では、持ち運ぶために台紙を折り畳んで鞄などの袋に収納しようとするときに、台紙が開いてしまい、書類収納具に差し込んでいる書類が汚れたり破損したりするおそれがあった。
【０００７】
そのため、本考案では、持ち運びなどの使用しておらず、折り畳んで鞄などの袋に収納しようとするときに、誤って開いて差し込んでいる書類が汚れたり破損したりすることがなく、しかも、簡便に開け閉めができる書類収納具を提供することを目的とする。
【課題を解決するための手段】
【０００８】
〔１〕すなわち、書類を載置する第一基部シート（１）と、前記第一基部シート（１）と一体に形成された第二基部シート（２）と、前記第一基部シート（１）の一端側に位置し、前記書類の端部を入れる開口（３１）を有する収納部（３）と、前記第二基部シート（２）の一端側に位置し、前記開口（３１）と対向し得る差し込み口（４１）を有する挿入部（４）を備え、前記収納部（３）の幅よりも前記挿入部（４）の幅が狭く、前記収納部（３）に前記挿入部（４）を挿入可能であることを特徴とする書類収納具である。
【０００９】
〔２〕そして、前記収納部（３）において、前記第一基部シート（１）に対して立設する側板（３２，３２）と、前記側板（３２，３２）に対し立設し前記第一基部シート（１）に対して平行となる天板（３３）を具備し、前記天板（３３）における前記開口（３１）側端部より前記収納部（３）の内部に向けて延設された押さえ片（３４）を備え、少なくとも前記天板（３３）及び前記押さえ片（３４）が可撓性を有する高分子材料により一体に形成されていることを特徴とする前記〔１〕に記載の書類収納具。
【００１０】
〔３〕そして、前記挿入部（４）が、前記第二基部シート（２）に対して折り曲げ可能に延設される天板（４３）により形成されていることを特徴とする前記〔１〕又は前記〔２〕に記載の書類収納具である。
【００１１】
〔４〕そして、前記第一基部シート（１）の他端と前記第二基部シート（２）他端との間に背面部（５）を備えることを特徴とする前記〔１〕から前記〔３〕のいずれかに記載の書類収納具である。
【考案の効果】
【００１２】
前記〔１〕の書類収納具によれば、持ち運びなどの使用しておらず、折り畳んで鞄などの袋に収納しようとするときに、誤って開いて差し込んでいる書類が汚れたり破損したりすることがなく、しかも、簡便に開け閉めができる。また、書類を取り出さなくてもそのまま書き込みなどもできる。
そして、前記〔２〕の書類収納具によれば、さらに、書類収納具を開いた状態でも書類収納具に差し込んだ書類が抜け落ちないようにすることができる。
そして、前記〔３〕の書類収納具によれば、さらに、挿入部を収納部に挿入するときに挿入部が変形し、収納部に挿入しやすくなる。
そして、前記〔４〕の書類収納具によれば、さらに、書類収納具を折りたたんでも差し込んだ書類に折り目が付かないようにすることができる。
【図面の簡単な説明】
【００１３】
【図１】本考案の書類収納具を開いた状態の斜視図である。
【図２】本考案の書類収納具を開いた状態の平面図である。
【図３】本考案の書類収納具を開いた状態のＡ−Ａ線断面図である。
【図４】本考案の書類収納具を展開した展開平面図である。
【図５】（ａ）本考案の書類収納具を開いた状態で書類を差し込んだときのＡ−Ａ線断面図相当の断面図である。（ｂ）本考案の書類収納具に書類を差し込んで折り畳んだときのＡ−Ａ線断面図相当の断面図である。
【考案を実施するための形態】
【００１４】
以下、本考案に係る書類収納具に関する実施の形態について、添付の図面に基づいて詳しく説明する。なお、以下に説明する実施形態は、本考案を実施するに好ましい具体例であるから、技術的に種々の限定がなされているが、本考案は、以下の説明において特に考案を限定する旨が明記されていない限り、この形態に限定されるものではない。そして、明細書中における上下方向は図２の左右方向であり、明細書中の左右方向は図２における上下方向である。
【００１５】
図１〜図３に示すように、本考案の書類収納具は、書類Ｐを載置する第一基部シート１と、第一基部シート１と一体に形成された第二基部シート２を有する。そして、第一基部シート１の一端側に位置し、書類Ｐの一端を差し込む開口３１を有する収納部３と、第二基部シート２の一端側に位置し、書類Ｐの他端を差し込む差し込み口４１を有する挿入部４を備えている。さらに、収納部３の幅よりも挿入部４の幅が狭く、収納部３に挿入部４を挿入可能であるように構成されており、持ち運びなどの使用しておらず、折り畳んで鞄などの袋に収納しようとするときに、誤って開いて差し込んでいる書類Ｐが汚れたり破損したりすることがなく、しかも、簡便に開け閉めができる。
【００１６】
本考案の書類収納具において使用できる書類Ｐの寸法としては、特に限定されるものでないが、紙の工業規格について記述されているものを使用することができる。具体的には、サイズの系統において、Ａ列、Ｂ列、四六判、菊判、ハトロン判、ＡＢ判など種々の寸法のものを使用することができる。また、本実施形態の寸法は特定の大きさにして示しているが、本考案の書類収納具の寸法は、本実施形態に特定されず、上記の書類Ｐの各寸法に応じて種々の大きさとすることができる。
【００１７】
第一基部シート１は、書類Ｐを載置する部材であり、書類Ｐの寸法に応じて書類Ｐがはみ出さないように必要な余裕の分だけ書類Ｐよりも大きめの横長の矩形状に形成されている。本実施形態において、第一基部シート１は矩形状であるが、他の実施形態において、正方形状、略楕円形状など種々の形状とすることができる。
【００１８】
第二基部シート２は、書類Ｐを載置する部材であり、第一基部シート１と一体に形成された部材である。第一基部シート１と同様に書類Ｐの寸法に応じて書類Ｐがはみ出さないように必要な余裕の分だけ書類Ｐよりも大きめの横長の矩形状に形成されている。本実施形態において、第二基部シート２は略矩形状であるが、他の実施形態において、正方形状、略楕円形状など種々の形状とすることができる。
【００１９】
そして、第二基部シート２は、幅方向である図２における上下方向において、第一基部シート１との間にある平面部６側である左側においては第一基部シート１と同等の幅を有しているが、右側に位置する挿入部４近傍では第一基部シート１及び収納部３より短く形成されている。これにより、収納部３に挿入部４を収納可能としているため、円滑に書類収納具を開け閉めすることができる。
【００２０】
また、本実施形態において、第二基部シート２は、背面部５を介して第一基部シート１と一体に形成されているが、他の実施形態において、第一基部シート１と中折れ線を介して直接当接して一体に形成されていてもよい。
【００２１】
収納部３は、第一基部シート１の一端側である左側に位置し、書類Ｐの一端を開口３１から差し込んで収納する部材である。本実施形態において、収納部３は、第一基部シート１と一体として設けられており、図４の展開図に示すように、第一基部シート１の左端に延設された立設板３５と、第一基部シート１の左端部の上側及び下側に延設された側板３２，３２と、それぞれの側板３２，３２に延設されたフラップ３６と、立設板３５の左端に延設された天板３３と、天板３３の左端に延設された押さえ片３４から構成され、これらの各部材を組み合わせることにより、右側に向かって開いた開口３１を有する箱状体として形成される。このように組み合わせると、側板３２，３２及び立設板３５は、第一基部シート１に対して立設し、天板３３は、第一基部シート１に対して平行となる。本実施形態において、より好ましい態様として天板３３における開口３１側に押さえ片３４が設けられているが、他の実施形態において、押さえ片３４を設けないようにすることができる。押さえ片３４を設けないときには、天板３３とフラップ３６は熱融着や、接着剤による接着などの方法により固設される。
【００２２】
また、押さえ片３４を設ける場合、押さえ片３４は、収納部３の内部に向けて折り畳まれて組み合わされる。そして、押さえ片３４を設けると、フラップ３６が天板３３と押さえ片３４により挟持されるために、接着剤などを使用せず組み立てるだけで本考案の書類収納具を製造することができる。本実施形態において、押さえ片３４は、略矩形状に設けられているが、他の実施形態において、台形など左右方向で長さの異なる方形状としたり、湾曲部を有する弓状の形状としたりすることができる。
【００２３】
さらに、収納部３のうち、少なくとも天板３３及び押さえ片３４が可撓性を有する高分子材料により一体に形成されていることが好ましい。このように形成されていると、押さえ片３４は、天板３３に対して折り曲げられているので、図４の展開図にあるような平らな状態に戻ろうとする弱い弾性力が働く。このため、図５（ａ）に示すように、収納部３において、押さえ片３４は、第一基部シート１の方向へ付勢されるので、本考案の書類収納具の開閉時や開いている状態のときなどにも収納部３に差し込まれた書類Ｐを押さえて書類Ｐが抜け落ちしにくいようにすることができる。
【００２４】
可撓性を有する高分子としては、ポリプロピレン、ポリエチレン、ポリ塩化ビニル、ポリ酢酸ビニル、ポリウレタン、ＡＢＳ樹脂、アクリル樹脂、ポリアミド、ポリカーボネート、ポリエステルなどの熱可塑性樹脂であることが好ましい。こらのうち、使用感や成型性などに応じて種々のグレードを作成することもできる。
【００２５】
挿入部４は、第二基部シート２の一端側である右側に位置し、書類Ｐの他端を差し込み口４１から差し込まれる部材である。本実施形態において、挿入部４は、第二基部シート２を含み一体として設けられており、図４の展開図に示すように、第二基部シート２と、第二基部シート２の右端に延設された側板４２と、側板４２の右端に延設された天板４３を備え、左側に向かって開いた差し込み口４１を有する部材として形成される。そのため、収納部３の開口３１と挿入部の差し込み口４１は、本考案の書類収納具を開いた状態では対向することとなる。このように天板４３は、側板４２を介して第二基部シート２に対して折り曲げ可能となっており、側板４２及び天板４３を折り曲げると、側板４２は、第二基部シート２に対して立設し、天板４３は、側板４２に対して立設して第二基部シート２に対しておおよそ平行となる。
【００２６】
さらに、挿入部４の側面４２及び天板４３が可撓性を有する高分子材料で形成されていることが好ましい。このように形成されていると、挿入部４を収納部３に挿入するときに挿入部４が変形し、収納部３に挿入しやすくなる。また、押さえ片３４と同様に、挿入部４の側面４２及び天板４３が、図４の展開図にあるような平らな状態に戻ろうとする弱い弾性力が働く。このため、図５（ｂ）に示すように、挿入部４を収納部３に挿入した状態において、天板４３は、第一基部シート１の方向へ付勢されるので、本考案の書類収納具を閉じている状態のときに収納部３に差し込まれた書類Ｐを押さえて書類Ｐが抜け落ちしにくいようにもすることができる。
【００２７】
可撓性を有する高分子としては、収納部３の天板３３と押さえ片３４と同様に、ポリプロピレン、ポリエチレン、ポリ塩化ビニル、ポリ酢酸ビニル、ポリウレタン、ＡＢＳ樹脂、アクリル樹脂、ポリアミド、ポリカーボネート、ポリエステルなどの熱可塑性樹脂であることが好ましい。こらのうち、使用感や成型性などに応じて種々のグレードを作成することもできる。
【００２８】
本実施形態において、挿入部４は、第二基部シート２を含み一体として設けられており、図４の展開図に示すように、第二基部シート２と、第二基部シート２の右端に延設された側板４２と、側板４２、左側に向かって開いた差し込み口４１を有する部材として形成されるが、他の実施形態において、第二基部シート２の右端に延設された天板４３を備え、左側に向かって開いた差し込み口４１を有する部材として形成されてもよい。そのように構成すると、収納部３の開口３１と挿入部の差し込み口４１は、本考案の書類収納具を開いた状態では対向することとなる。このように天板４３は、第二基部シート２に対して直接折り曲げ可能となっており、第二基部シート２に対して天板４３を折り曲げると、天板４３は、第二基部シート２に対して鋭角または鈍角に立ち上がる。また、そのとき挿入部４の天板４３が可撓性を有する高分子材料で形成されていることが好ましい。
【００２９】
背面部５は、第一基部シート１の他端である右端と第二基部シート２の他端である左端との間に位置する部材である。また、背面部５は、本考案の書類収納具を開いたときの収納部３と挿入部４を結ぶ方向である左右方向において第一基部シート１と第二基部シート２の長さよりも短く形成されている。このように、背面部５を設けることにより、本考案の書類収納具を閉じて鞄などの収納したときにも挟んでいる書類Ｐに折れ目を付けることがない。なお、本実施形態において、背面部５は、上下方向の幅が、第一基部シート１の右端及び第二基部シート２の左端とおおよそ同じ長さになっているが、他の実施形態において、第一基部シート１の右端及び第二基部シート２の左端よりも短くすることもできる。
【００３０】
また、本実施形態の書類収納具は、図４の展開図に示すように、展開すると一枚のシート状とすることができる。このように構成することで、他の分離した部材を用意することなく組み立てるだけで成形することができるので、製造しやすくコストを低減することができる。このとき、すべての構成部材が可撓性を有する高分子材料から形成されていることがより好ましい。構成部材ごとに材質を変更することがなく、製造上の手間が省けるので、よりコストを低減することができるためである。また、可撓性を有する高分子としては、前述した熱可塑性樹脂であることが好ましい。
【符号の説明】
【００３１】
１・・・第一基部シート
２・・・第二基部シート
３・・・収納部
３１・・・開口
３２・・・側板
３３・・・天板
３４・・・押さえ片
３５・・・立設板
３６・・・フラップ
４・・・挿入部
４１・・・差し込み口
４２・・・側板
４３・・・天板
５・・・背面部
Ｐ・・・書類
【図１】
0003207893.tif 000003
【図２】
0003207893.tif 000004
【図３】
0003207893.tif 000005
【図４】
0003207893.tif 000006
【図５】
0003207893.tif 000007